【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
メディア番組に関連する検索リクエストを受信するステップと、
検索結果を表示するステップと
を含み、
前記検索結果は、
（ａ）前記検索リクエストに応答した複数の番組のコレクションのリストであって、グルーピングにおける各アイテムが番組の特定のエピソードであるようにして番組の各コレクションが番組名によってグループ化されたリストと、
（ｂ）前記検索リクエストに応答した前記番組のうちの１又は２以上を含み、或る時間期間での複数の異なるチャンネル上の複数の番組を表示するスケジュールグリッドであって、時間軸とチャンネル軸によって規定されるスケジュールグリッドと
を備え、
ここで、前記複数の番組のコレクションのリストと前記スケジュールグリッドは、相互に区分された表示領域部分に互いに隣り合って同時に表示され、
前記ステップに加えて更に、
番組のエピソードの選択を受信するステップであって、前記エピソードが、前記時間期間外にスケジューリングされない前記リストにおける番組の選択のうちの一つに表示され、従って選択される前に前記スケジュールグリッド上に表示されないステップと、
前記スケジュールグリッドに前記番組のエピソードを表示させるために、前記番組の前記選択されたエピソードの鑑賞時間を含む時間期間に前記スケジュールグリッドの時間期間を自動的に移動させるステップと
を含み、
前記検索リクエストを受信するステップと前記検索結果を表示するステップは、１又は２以上のコンピュータの１又は２以上のプログラマブルプロセッサによって実行される、コンピュータ実施の方法。
【請求項２】
前記リストは、前記検索リクエストに応答した番組のコレクションのサブセットを含み、更に、選択された場合に前記検索リクエストに応答した追加の番組のコレクションを表示させる制御を表示するステップを含む請求項１記載の方法。
【請求項３】
前記番組のコレクションは、チャンネル、ジャンル、および番組からなるグループの中から選択された１又は２以上のカテゴリーによって体系化される請求項１記載の方法。
【請求項４】
前記グリッドまたはリストにおける他の番組の選択を受け取るステップと、前記選択された他の番組に関連した番組の詳細を表示するステップとを更に含む請求項１記載の方法。
【請求項５】
前記番組の詳細は、前記スケジュールグリッドまたはリスト上のポップアップボックスに表示される請求項４記載の方法。
【請求項６】
前記番組の詳細は、前記スケジュールグリッドおよびリストを表示するプレーンから離れた表示プレーンに表示される請求項４記載の方法。
【請求項７】
前記番組の詳細は、複数の情報コーパスから取得された結果から構成された請求項６記載の方法。
【請求項８】
前記番組の詳細は、前記選択された他の番組における複数の俳優に関する情報を含む請求項６記載の方法。
【請求項９】
前記複数の俳優のうちの一人の選択を受け取るステップと、前記選択された俳優に関する検索結果を生成するステップとを更に含む請求項８記載の方法。
【請求項１０】
前記複数の俳優のうちの１又は２以上についての俳優キャスティングコネクションのマップを生成するステップを更に含む請求項９記載の方法。
【請求項１１】
前記選択された他の番組のための複数の補足アクションを選択するための制御を生成するステップを更に含む請求項６記載の方法。
【請求項１２】
前記複数の補足アクションは、電子メールによる番組情報の配信、前記他の番組の記録の確立、および個人カレンダーまたは共有カレンダーへの前記他の番組の追加からなるグループの中から選択された１又は２以上のアクションを含む請求項１１記載の方法。
【請求項１３】
前記検索リクエストに応答した前記番組のうちの一つに関する選択コメントを受信するステップと、情報プロバイダーに関するユーザのネットワークで利用可能な前記コメントを作成するステップとを更に含む請求項１記載の方法。
【請求項１４】
前記検索リクエストに応答する前記スケジュールグリッドにおける前記１又は２以上の番組は、前記検索リクエストに応答しない前記スケジュールグリッドにおける番組と対照をなす形式で表示される請求項１記載の方法。
【請求項１５】
前記複数の異なるチャンネルは、局識別(station identifications)を含む請求項１記載の方法。
【請求項１６】
前記複数の異なるチャンネルは、個人向けのチャンネルを含む請求項１記載の方法。
【請求項１７】
ユーザが新たな時間期間を選択することを可能にする前記スケジュールグリッドの空間ディメンジョンにわたる表示のためのタイムバーを生成するステップを更に含み、前記タイムバーは、前記スケジュールグリッドの時間期間と一致しない時間期間を有する請求項１記載の方法。
【請求項１８】
前記検索結果を生成する前に、ユーザのためのヘッドエンドを判定するステップと、ヘッドエンドが判定されない場合、ヘッドエンド関連情報を前記ユーザに要求するステップとを含む請求項１記載の方法。
【請求項１９】
コンピュータ実施の方法であって、
メディア番組に関連した検索リクエストを受け取るステップと、
前記検索リクエストに応答した複数の検索結果と前記検索結果のうちの１又は２以上の周辺のスケジュールグリッドのための情報とを取得するステップと、
第１および第２のスクリーン領域を設定し、前記第１のスクリーン領域への前記複数の検索結果の一部の表示と前記第２のスクリーン領域への前記スケジュールグリッドの表示とを同時に行うためのマークアップコードを生成するステップと
を含む方法。
【請求項２０】
前記複数の検索結果の一部は、複数のカテゴリーにグループ化され、各カテゴリーは、１又は２以上のメディアエピソードを含む請求項１９記載の方法。
【請求項２１】
各カテゴリーはカテゴリーのタイトルを含み、前記１又は２以上のメディア番組のそれぞれは、ショーの時刻および関連チャンネルの表示を含む請求項１９記載の方法。
【請求項２２】
前記スケジュールグリッドは、時間軸およびチャンネル軸によって規定される請求項１９記載の方法。
【請求項２３】
前記複数の異なるチャンネルは、個人向けのチャンネルを含む請求項１９記載の方法。
【請求項２４】
前記第１のスクリーン領域に番組に関連する番組の詳細を表示させ、前記検索結果を互いに外側に押すことにより、前記複数の検索結果内に、番組の選択に応じて前記番組の詳細を表示させるためのマークアップコードを生成するステップを更に含む請求項１９記載の方法。
【請求項２５】
エピソードの選択に応答して、前記グリッド上の前記第２のスクリーン領域に前記エピソードに関連するエピソードの詳細を表示させるためのマークアップコードを生成するステップを更に含む請求項１９記載の方法。
【請求項２６】
メディア番組情報を生成するためのコンピュータ実施のシステムであって、
メディア番組コンテンツについてのリクエストを受け取るインターフェイスと、
複数のメディア番組についてのスケジュールに関する情報を格納する番組データベースと、
ページフォーマッタとを備え、
前記ページフォーマッタは、メディア関連の検索結果のうちの１又は２以上を含む番組案内グリッドに隣接した１又は２以上のグルーピングにメディア関連の検索結果を表示させるためのコードを生成するようにプログラムされ、ここで、前記番組案内グリッドは、時間軸とチャンネル軸によって規定され、前記メディア関連の検索結果と前記番組案内グリッドは、相互に区分された表示領域部分に互いに隣り合って同時に表示され、
更に、前記ページフォーマッタは、前記メディア関連の検索結果のうちの一つの選択を受信するようにプログラムされ、ここで、前記選択されたメディア関連の検索結果は番組のエピソードを含み、前記番組のエピソードは、選択される前に（ａ）前記番組案内グリッドに隣接した前記グルーピングに表示されるが、（ｂ）前記表示される番組案内グリッドに示される時間期間外にある時間期間外の鑑賞時間を有し、
更にまた、前記ページフォーマッタは、前記番組案内グリッドに前記選択されたメディア関連の検索結果を表示させるために、前記選択されたメディア関連の検索結果の鑑賞時間を含む時間期間に前記番組案内グリッドの時間期間を自動的に移動させるようにプログラムされた、システム。
【請求項２７】
前記番組案内上の番組の選択に応答してストリーミングメディアコンテンツを提供するためのメディアストリーマを更に備えた請求項２６記載のシステム。
【請求項２８】
メディア番組に関連する検索リクエストを受信するステップと、
検索結果を生成するステップと
を含み、
前記検索結果は、
（ａ）前記検索リクエストに応答した複数の番組のコレクションのリストであって、グルーピングにおける各アイテムが番組の特定のエピソードであるようにして番組の各コレクションが番組名によってグループ化されたリストと、
（ｂ）前記検索リクエストに応答した前記番組のエピソードのうちの１又は２以上を含み、或る時間期間での複数の異なるチャンネル上の複数の番組を表示するスケジュールグリッドであって、前記検索リクエストに応答した前記含まれる番組のエピソードは、前記検索リクエストに応答しない前記スケジュールグリッドにおける番組と対照をなす形式で前記スケジュールグリッドに表示されるものであるスケジュールグリッドと
を備え、
ここで、前記複数の番組のリストと前記スケジュールグリッドは、相互に区分された表示領域部分に互いに隣り合って同時に表示され、
前記検索リクエストを受信するステップと前記検索結果を生成するステップは、１又は２以上のコンピュータの１又は２以上のプログラマブルプロセッサによって実行される、コンピュータ実施の方法。